(57)【要約】      （修正有）【課題】携帯用電子機器に接続することにより、テレビジョン放送用電波などの広い周波数帯域の電波を効果的に受信することが可能となるアンテナ内蔵ストラップを提供すること。【解決手段】アンテナ内蔵ストラップ１は、中空紐の両端付近を結束して環状に形成されているとともに、当該環が人体の一部分から懸架可能となるような大きさを有して形成されているストラップ部２ａと、携帯用電子機器１１をストラップ部２ａの一部分に連結させる連結部２ｃとを有するストラップ本体２ａと、携帯用電子機器１１の電源を介して接地導体に接続されている給電素子３ａと、携帯用電子機器１１の接地導体に接続されている無給電素子３ｂとを有しているとともに、ストラップ部２ａの内部に配設されている外部アンテナ３と、携帯用電子機器１１と外部アンテナ３とを接続させる接続プラグ５とを備えている。【選択図】図１
2006319734.tif 000002
【特許請求の範囲】
【請求項１】
環状に形成されているストラップ部と、無線通信を利用する携帯用電子機器を前記ストラップ部の一部分に連結させる連結部とを有するストラップ本体と、
前記携帯用電子機器に配設されている電源を介して接地導体に接続されている給電素子と、前記接地導体に接続されている無給電素子とを有しているとともに、前記ストラップ部の内部に配設されている外部アンテナと、
前記外部アンテナの一端に接続して形成されており、前記携帯用電子機器と前記外部アンテナとを接続させる接続プラグと
を備えていることを特徴とするアンテナ内蔵ストラップ。
【請求項２】
前記外部アンテナは、前記ストラップ部の両端を結束して環状に形成された前記ストラップ部の一方の端部から前記給電素子および前記無給電素子を挿通することによって、前記ストラップ部の内部に配設されている
ことを特徴とする請求項１にアンテナ内蔵ストラップ。
【請求項３】
前記ストラップ部は、人体の手首から懸架して使用するような大きさを有して形成されている
ことを特徴とする請求項１または請求項２に記載のアンテナ内蔵ストラップ。
【請求項４】
前記給電素子は、地上デジタルテレビジョン放送用電波に用いられる周波数の電波の波長に１／４を乗じて得た長さを有して形成されており、
前記無給電素子は、地上デジタルテレビジョン放送用電波に用いられる周波数であって前記給電素子が受信する周波数以外の周波数の電波の波長に１／４を乗じて得た長さを有して形成されている
ことを特徴とする請求項１から３のいずれか１項に記載のアンテナ内蔵ストラップ。
【発明の詳細な説明】
【技術分野】
【０００１】
本発明は、アンテナ内蔵ストラップに係り、特に、無線通信を利用する携帯用電子機器に接続する外部アンテナとして好適に利用可能となるアンテナ内蔵ストラップに関する。
【背景技術】
【０００２】
従来より、携帯電話機、ＰＤＡ（個人用携帯情報端末機）その他の無線通信を利用する携帯用電子機器（以下、単に「携帯用電子機器」という。）は、所望の電波を受信するアンテナを備えている。このアンテナにおいては、受信電波の周波数や受信感度などに応じてその形状や配置などが決められている。例えば、８００ＭＨｚ〜２．４ＧＨｚの周波数を利用する現在の携帯電話機は、その筐体から外部に向かって延出するホイップアンテナと、その筐体内部に配設されている内蔵アンテナとを有しており、このホイップアンテナおよび内蔵アンテナによって、当該携帯電話機は空間ダイバーシティを構成し、その受信感度を向上させている（特許文献１を参照）。
【０００３】
また、ＴＶチューナを内蔵している携帯用電子機器は、４７０〜７７０ＭＨｚの周波数を利用するテレビジョン放送用電波を受信するため、携帯用電子機器に用いられるイヤホーンやヘッドホーンなどに一体成形された接地線兼用外部アンテナを当該携帯用電子機器のＴＶ受信用アンテナとして利用している。その一例となるダイバーシティアンテナ兼用ヘッドホーンは、携帯用電子機器のホイップアンテナや内蔵アンテナの全長よりも長く形成された当該スピーカ部の接地線から所望のテレビジョン放送用電波を受信し、ダイバーシティアンテナ兼用ヘッドホーンに接続された当該携帯用電子機器に受信した電波の電気信号を転送することが可能となっている（特許文献２を参照）。
【０００４】
【特許文献１】特開平８−７９１５２号公報
【特許文献２】特開２００３−１６３５２９号公報
【発明の開示】
【発明が解決しようとする課題】
【０００５】
しかしながら、携帯用電子機器に接続されたダイバーシティアンテナ兼用ヘッドホーンは、接続プラグからイヤホーン部までに配設された当該接地線をモノポールアンテナとして単に利用していることから、アンテナの利得を向上させることが困難であった。
【０００６】
また、ダイバーシティアンテナ兼用ヘッドホーンは、接地線のみによって形成されたモノポールアンテナを外部アンテナとしていることから、不作為に決定された１つの共振点のみとなり、テレビジョン放送用電波などの広い周波数帯域を利用する電波を効率よく受信することが困難であった。
【０００７】
そこで、本発明はこれらの点に鑑みてなされたものであり、携帯電話機、ＰＤＡ（個人用携帯情報端末機）その他の無線通信を利用する携帯用電子機器に接続することにより、テレビジョン放送用電波などの広い周波数帯域の電波を効果的に受信することが可能となるアンテナ内蔵ストラップを提供することを本発明の目的としている。
【０００８】
また、ストラップ部分の開き角や人体などから受ける悪影響を可能な限り軽減することが可能となるアンテナ内蔵ストラップを提供することを他の目的としている。
【課題を解決するための手段】
【０００９】
前述した目的を達成するため、本発明のアンテナ内蔵ストラップは、一の態様として、環状に形成されているストラップ部と、無線通信を利用する携帯用電子機器をストラップ部の一部分に連結させる連結部とを有するストラップ本体と、携帯用電子機器の電源を介して接地導体に接続されている給電素子と、携帯用電子機器の接地導体に接続されている無給電素子とを有しているとともに、その一部もしくは全部をストラップ部の内部に配設されている外部アンテナと、外部アンテナの一端に接続して形成されており、携帯用電子機器と外部アンテナとを接続させる接続プラグとを備えていることを特徴としている。
【００１０】
これによって、携帯性に優れたストラップ本体の内部に配設された外部アンテナの共振点を２つにすることが可能となる。
【００１１】
また、本発明のアンテナ内蔵ストラップにおいては、他の態様として、外部アンテナが、ストラップ部の両端を結束して環状に形成されたストラップ部の一方の端部から給電素子および無給電素子を挿通することによって、ストラップ部の内部に配設されていることが好ましい。
【００１２】
これによって、給電素子と無給電素子との配設間隔を一定に保つことが可能となる。
【００１３】
また、本発明のアンテナ内蔵ストラップにおいては、他の態様として、ストラップ部は、人体の手首から懸架して使用するような大きさを有して形成されていることが好ましい。
【００１４】
これによって、本発明のアンテナ内蔵ストラップを人体の胴体から遠ざけて使用することが可能となる。
【００１５】
また、本発明のアンテナ内蔵ストラップにおいては、他の態様として、給電素子が地上デジタルテレビジョン放送用電波に用いられる周波数の電波の波長に１／４を乗じて得た長さを有して形成されており、無給電素子が地上デジタルテレビジョン放送用電波に用いられる周波数であって給電素子が受信する周波数以外の周波数の電波の波長に１／４を乗じて得た長さを有して形成されていることが好ましい。
【００１６】
これによって、地上デジタルテレビジョン放送用電波の周波数帯域に共振点を２つ設けることが可能となる。
【発明の効果】
【００１７】
本発明のアンテナ内蔵ストラップは、前述のように形成されていることから、このアンテナ内蔵ストラップに接続された携帯用電子機器の受信帯域が広くなるという効果を奏する。
【００１８】
また、本発明のアンテナ内蔵ストラップは、ストラップ部の開き角に依存することなく、常に一定の受信感度が得られるという効果を奏する。
【００１９】
さらに、本発明のアンテナ内蔵ストラップは、人体の胴部から受ける電波受信時の悪影響が減少するという効果を奏する。
【００２０】
そして、本発明のアンテナ内蔵ストラップは、地上デジタルテレビジョン放送用電波の受信感度が向上するという効果を奏する。
【発明を実施するための最良の形態】
【００２１】
以下、図１から図７を用いて、本発明のアンテナ内蔵ストラップの実施形態を説明する。
【００２２】
ここで、図１は、本発明のアンテナ内蔵ストラップの実施形態の一態様を示している。図２は、本実施形態のアンテナ内蔵ストラップを人体の手首から懸架した状態を示している。図３は、本実施形態の外部アンテナとその周辺部との接続状態を示している。図４は、本実施形態のストラップ部の結束部付近と外部アンテナとを示している。
【００２３】
本実施形態のアンテナ内蔵ストラップ１は、図１に示すように、携帯電話機、ＰＤＡ（個人用携帯情報端末機）その他の無線通信を利用する携帯用電子機器（以下、単に「携帯用電子機器」という。）１１に接続して利用することが可能となるように形成されている。具体的には、このアンテナ内蔵ストラップ１は、図１に示すように、ストラップ本体２、外部アンテナ３および接続プラグ５を有している。
【００２４】
前述したストラップ本体２は、ストラップ部２ａ、結束部２ｂおよび連結部２ｃを有している。
【００２５】
ストラップ本体２のストラップ部２ａは、合成樹脂繊維を編み込むことによって、可撓性を有する帯状の中空紐（ストラップ）となるように形成されている。また、図１に示すように、この中空状のストラップ部２ａの両端２ｄ、２ｅは、結束部２ｂによって結束されることによって環状に形成されている。この環状のストラップ部２ａは、図２に示すように、人体Ｈの手首Ｒから懸架して使用するような大きさを有して形成されていることが好ましい。
【００２６】
ストラップ部２ａの両端２ｄ、２ｅ付近を結束する結束部２ｂは、図１に示すように、ＡＢＳ（アクリルニトリル・ブタジエン・スチレン共重合体）樹脂などの機械的特性に優れた合成樹脂を用いて、軽量かつ耐衝撃性に優れた箱状に形成されている。また、この結束部２ｂの内部には、ストラップ部２ａの両端２ｄ、２ｅ付近が結束されており、この結束部２ｂの外部におけるストラップ部２ａと対向する位置には、携帯用電子機器１１を連結する連結部２ｃが形成されている。
【００２７】
連結部２ｃは、携帯用電子機器１１を連結させても破断しないような強靱な合成樹脂繊維を環状にして形成されている。また、この環状の連結部２ｃは、携帯用電子機器１１の筐体に形成されたＬ字もしくはＵ字トンネル状の取付孔１１ｂに挿通して結び付けることが可能な程度の長さを有して形成されている。
【００２８】
また、外部アンテナ３は、図３に示すように、給電素子３ａと、無給電素子３ｂとを有して形成されている。
【００２９】
給電素子３ａは、アルミニウムや銅などの良導電性の導線が被覆された被覆線を用いて形成されている。この給電素子３ａの全長Ｌ１は、地上デジタルテレビジョン放送用電波に用いられる周波数（４７０〜７７０ＭＨｚ）の電波の波長λのλ／４となっており、その一端が接続プラグ５に連結している。
【００３０】
無給電素子３ｂは、図３に示すように、所定の間隔Ｄを有して、給電素子３ａと平行に配設されている。この無給電素子３ｂは、給電素子３ａと同様、アルミニウムや銅などの良導電性の導線が被覆された被覆線を用いて形成されており、その全長Ｌ２が地上デジタルテレビジョン放送用電波に用いられる周波数であって給電素子３ａが受信する周波数以外の周波数の電波の波長λのλ／４となっている。そして、給電素子３ａと同様、無給電素子３ｂの一端が接続プラグ５に連結している。
【００３１】
そして、接続プラグ５は、携帯電話機用角形コネクタ（ＥＩＡＪ  ＲＣ−５２４０）に用いられるプラグなどの規格化された形状に形成されている。また、図３に示すように、この接続プラグ５は、給電素子３ａに接続される接続端子５ａと、無給電素子３ｂに接続される接続端子５ｂを有している。これら接続端子５ａ、５ｂは、携帯用電子機器１１に配設された接続リセプタクル（携帯用電子機器側のコネクタ）１１ａを介しつつ、携帯用電子機器１１の電源１９を介して接地導体１９ａに接続された給電線６ａと、携帯用電子機器１１の接地導体１９ａに接続された接地線６ｂとに対して、それぞれ接続されることとなる。
【００３２】
接続プラグ５に接続されたこの外部アンテナ３は、図４に示すように、結束部２ｂを介して、中空のストラップ部２ａの一端２ｄから給電素子３ａおよび無給電素子３ｂを挿通することによって、ストラップ部２ａの内部に配設されている。
【００３３】
なお、結束部２ｂから接続プラグ５までにおける外部アンテナ３が外部に露出する部分は、絶縁性の合成樹脂を用いて形成された筒状の保護カバー４によって覆われている。
【００３４】
次に、図１から図７を用いて、本実施形態のアンテナ内蔵ストラップ１の作用を説明する。
【００３５】
ここで、図５は、本実施形態の外部アンテナに生じるイメージ外部アンテナを示している。また、図６は、本実施形態の外部アンテナのＶＳＷＲ特性を示している。そして、図７は、本実施形態の外部アンテナの給電素子および無給電素子をストラップ部の２つの端部からそれぞれ挿通させた状態を示している。
【００３６】
図１に示すように、本実施形態のアンテナ内蔵ストラップ１は、連結部２ｃを介して携帯用電子機器１１の取付孔１１ｂに連結することができるようになっているので、アンテナ内蔵ストラップ１に連結された携帯用電子機器１１の利用主体が特に意識することなく外部アンテナ３を携帯することができるようになっている。
【００３７】
また、図２に示すように、外部アンテナ部３が内設された環状のストラップ部２ａは、人体Ｈの手首Ｒから掛けられるようになっているので、所望の電波を受信するのに障害となる人体Ｈの胴体Ｂから外部アンテナ３を遠ざけることができるようになっており、外部アンテナ３の受信感度を向上させることができるようになっている。
【００３８】
そして、図３に示すように、ストラップ部２ａに内設された外部アンテナ３は、電源１９を介して接地導体１９ａに接続された給電素子３ａと、接地導体１９ａに接続された無給電素子３ｂを有していることから、接地導体１９ａに接続されたＪ型アンテナを構成することになる。これによって、図５に示すように、接地導体１９ａに接続された外部アンテナ３は、給電素子３ａおよび無給電素子３ｂのイメージアンテナ（影像アンテナ）となるイメージ給電素子３ａ’およびイメージ無給電素子３ｂ’を有するイメージ外部アンテナ３’を接地導体１９ａに影像することになる。このことから、外部アンテナ３は、給電素子３ａおよびイメージ給電素子３ａ’による半波長ダイポールアンテナと、無給電素子３ｂおよびイメージ無給電素子３ｂ’による半波長の無給電素子とを有する無給電素子付ダイポールアンテナと同様の効果を得ることができるようになっている。
【００３９】
ここで、前述したような効果を示す外部アンテナ３のＶＳＷＲ特性を図６に示す。図６の横軸は周波数（単位はＭＨｚ）を示し、縦軸は電圧定在波率（ＶＳＷＲ）を示している。この外部アンテナ３は、４７０ＭＨｚおよび６１５ＭＨｚ付近に２つの共振点を有しており、ＶＳＷＲ＜３．０の帯域幅Δｆ１は２１０ＭＨｚ（４５０〜６６０ＭＨｚ（４７０〜７７０ＭＨｚを少なくとも一部分に含む帯域幅のみを表示））となっている。また、ＶＳＷＲ＜３．３になると、帯域幅Δｆ２が５９３ＭＨｚ（４４２〜１０３５ＭＨｚ）となっている。このことから、この外部アンテナ３は、地上デジタルテレビジョン放送用電波（４７０〜７７０ＭＨｚ）のような広帯域の電波を受信するのに適していることがわかる。
【００４０】
このような特性を有する外部アンテナ３は、図４に示すように、ストラップ部２ａの一端２ｄから給電素子３ａおよび無給電素子３ｂを挿通して配設されているので、ストラップ部２ａの結束部２ｂ付近が開き角θだけ開いても、給電素子３ａと無給電素子３ｂとの配設間隔Ｄを一定に維持することが可能になっている。
【００４１】
もし、図７に示すように、給電素子３ａがストラップ部２ａの一端２ｄから挿通されており、無給電素子３ｂがストラップ部２ａの他端２ｅから挿通されていると、ストラップ部２ａが開き角θだけ開くことによって、所定の配設間隔Ｄが当該配設間隔Ｄとは異なる長さの配設間隔Ｄ’に変化してしまう。すると、外部アンテナ３の２つの共振点に影響を及してしまうことから、外部アンテナ３の受信帯域は狭くなってしまうことになる。
【００４２】
これに対して、本実施形態のアンテナ内蔵ストラップ１は、ストラップ部２ａの一端２ｄから外部アンテナ３の全体を挿通して配設されていることによって、ストラップ部２ａの開き角θに依存することなく、常に一定の受信感度が得られるようになっている。
【００４３】
以上のことから、本実施形態のアンテナ内蔵ストラップ１は、このアンテナ内蔵ストラップ１に接続された携帯用電子機器１１の受信帯域が広くなるという効果を奏する。
【００４４】
また、本実施形態のアンテナ内蔵ストラップ１は、ストラップ部２ａの開き角θに依存することなく、常に一定の受信感度が得られるという効果を奏する。
【００４５】
さらに、本実施形態のアンテナ内蔵ストラップ１は、人体Ｈの胴部Ｂから受ける電波受信時の悪影響が減少するという効果を奏する。
【００４６】
そして、本実施形態のアンテナ内蔵ストラップは、地上デジタルテレビジョン放送用電波の受信感度が向上するという効果を奏する。
【００４７】
なお、本発明は、前述した実施形態などに限定されるものではなく、必要に応じて種々の変更が可能である。
【００４８】
たとえば、本実施形態のアンテナ内蔵ストラップ１においては、人体Ｈの手首Ｒからストラップ部２ａを懸架して利用することを想定して、そのストラップ部２ａの長さが決められているが、他の実施形態として、図８に示すように、人体Ｈの首Ｎからストラップ部２ａを懸架して利用することを想定して、そのストラップ部２ａの長さが決定されていても良い。
【００４９】
また、本実施形態のアンテナ内蔵ストラップ１は、外部アンテナ３を地上デジタル音声放送用アンテナとして形成されているが、他の実施形態として、地上デジタル音声放送用電波の周波数帯域とは異なる周波数帯域の電波を外部アンテナ３が受信可能となるように、当該外部アンテナ３の給電素子３ａおよび無給電素子３ｂの全長Ｌ１、Ｌ２を変更して形成されていても良い。
【図面の簡単な説明】
【００５０】
【図１】本発明のアンテナ内蔵ストラップの実施形態の一態様を示す平面図
【図２】本実施形態のアンテナ内蔵ストラップを人体の手首から懸架した状態を示した平面図
【図３】本実施形態の外部アンテナとその周辺部との接続状態を示す平面図
【図４】本実施形態のストラップ部の結束部付近と外部アンテナとを示す平面図
【図５】本実施形態の外部アンテナに生じるイメージ外部アンテナを示す平面図
【図６】本実施形態の外部アンテナのＶＳＷＲ特性を示すグラフ
【図７】本実施形態の外部アンテナの給電素子および無給電素子をストラップ部の２つの端部からそれぞれ挿通させた状態を示す平面図
【図８】本実施形態のアンテナ内蔵ストラップを人体の首から懸架した状態を示した平面図
【符号の説明】
【００５１】
１  アンテナ内蔵ストラップ
２  ストラップ本体
２ａ  ストラップ部
２ｂ  結束部
２ｃ  連結部
２ｄ、２ｅ  ストラップ部の端部
３  外部アンテナ
３ａ  給電素子
３ｂ  無給電素子
３ｐ  給電素子の端部
３ｇ  無給電素子の端部
３’  イメージ（影像）外部アンテナ
３ａ’  イメージ給電素子
３ｂ’  イメージ無給電素子
４  保護カバー
５  接続プラグ
５ａ  （給電素子用）接続端子
５ｂ  （無給電素子用）接続端子
６ａ  携帯用電子機器側の給電線
６ｂ  携帯用電子機器側の接地線
１９  電源
１９ａ  接地導体
Ｄ  給電素子と無給電素子との配設間隔
Δｆ１  ＶＳＷＲ＜３．０の帯域幅
Δｆ２  ＶＳＷＲ＜３．３の帯域幅
【図１】
2006319734.tif 000003
【図２】
2006319734.tif 000004
【図３】
2006319734.tif 000005
【図４】
2006319734.tif 000006
【図５】
2006319734.tif 000007
【図６】
2006319734.tif 000008
【図７】
2006319734.tif 000009
【図８】
2006319734.tif 000010